(57)【特許請求の範囲】
【請求項１】
所定の記入欄を備え、非接触型ＩＣカードを分離可能に一体的に保持したＩＣカード送付用紙に、少なくとも前記非接触型ＩＣカードの発送先を識別するコード情報と該コード情報に対応する発送先の住所・氏名等の発送情報を印字する印刷手段と、
前記コード情報及び発送情報が印字された前記ＩＣカード送付用紙を窓開封筒に収める封入封緘手段と、
前記封入封緘手段にて前記窓開封筒に収められた前記ＩＣカード送付用紙から、前記印刷手段にて当該ＩＣカード送付用紙に印刷され、前記窓開封筒の窓から表出したコード情報を読取り、前記封入封緘手段にて前記ＩＣカード送付用紙が前記窓開封筒に収められた状態で、前記非接触型ＩＣカードの発送先に対応する必要な情報を前記ＩＣカード送付用紙に保持された非接触型ＩＣカードにエンコードするＩＣカード情報記録手段とを有することを特徴とするＩＣカード発行システム。
【請求項２】
所定の記入欄を備え、非接触型ＩＣカードを分離可能に一体的に保持したＩＣカード送付用紙に、少なくとも前記非接触型ＩＣカードの発送先を識別するコード情報と該コード情報に対応する発送先の住所・氏名等の発送情報を印字する工程と、
前記コード情報及び発送情報が印字された前記ＩＣカード送付用紙を窓開封筒に収める工程と、
前記窓開封筒に収められた前記ＩＣカード送付用紙から、当該ＩＣカード送付用紙に印刷され、前記窓開封筒の窓から表出したコード情報を読み取る工程と、
前記ＩＣカード送付用紙が前記窓開封筒に収められた状態で、前記読み取られたコード情報に対応づけて記憶された発送先に対応する必要な情報を前記ＩＣカード送付用紙に保持された非接触型ＩＣカードにエンコードする工程とを有するＩＣカード発行方法。
【発明の詳細な説明】
【０００１】
本発明は、社員用、学生用、会員用、イベント等に用いられるＩＤカードあるいは特殊な鍵等として利用されるＩＣカードの発行システム及びＩＣカード発行方法であって、特に、ＩＣカード発行に際し、発送ミスを起こさず確実に発送できるＩＣカード発行システム及びＩＣカード発行方法に関する。
【０００２】
【従来の技術】
近年の社員用、学生用、会員用、イベント等に用いられるＩＤカードあるいは特殊な鍵等をセキュリティの面からＩＣカードを利用しようとすることが提案されている。その際、ＩＣカードの発行は、ＩＣカードの送付用紙に発送先の住所・氏名を印字した後、あらかじめ発送先毎に発送先に対応する必要な情報をエンコード及びカードの表面にカードの所有者となる被発行者情報が付されたＩＣカードを取り付け、封筒に封入封緘して発送することが試みられた。
【０００３】
しかしながら上述の現状において、ＩＣカード送付用紙に発送先の住所・氏名を印字した後、必要な情報をエンコードされたＩＣカードを取り付けるときのマッチングミスが発生することが避けられない問題があった。また、ＩＣカードの表面にカードの所有者となる被発行者情報をあらかじめ印字しなくてはならないのでＩＣカードの発行効率が悪かった。本発明は、これらの不都合を解消し、ＩＣカードの発送先の住所・氏名を印字した送付用紙へのＩＣカード取り付けミスを完全に防止し、しかも発行工程を縮小し効率よくＩＣカードを発行するＩＣカード発行システム及びＩＣカード発行方法を提供することを目的とする。
【０００４】
【課題を解決するための手段】
本発明のＩＣカード発行システムは、
所定の記入欄を備え、非接触型ＩＣカードを分離可能に一体的に保持したＩＣカード送付用紙に、少なくとも前記非接触型ＩＣカードの発送先を識別するコード情報と該コード情報に対応する発送先の住所・氏名等の発送情報を印字する印刷手段と、
前記コード情報及び発送情報が印字された前記ＩＣカード送付用紙を窓開封筒に収める封入封緘手段と、
前記封入封緘手段にて前記窓開封筒に収められた前記ＩＣカード送付用紙から、前記印刷手段にて当該ＩＣカード送付用紙に印刷され、前記窓開封筒の窓から表出したコード情報を読取り、前記封入封緘手段にて前記ＩＣカード送付用紙が前記窓開封筒に収められた状態で、前記非接触型ＩＣカードの発送先に対応する必要な情報を前記ＩＣカード送付用紙に保持された非接触型ＩＣカードにエンコードするＩＣカード情報記録手段とを有するものである。
【０００５】
また、所定の記入欄を備え、非接触型ＩＣカードを分離可能に一体的に保持したＩＣカード送付用紙に、少なくとも前記非接触型ＩＣカードの発送先を識別するコード情報と該コード情報に対応する発送先の住所・氏名等の発送情報を印字する工程と、
前記コード情報及び発送情報が印字された前記ＩＣカード送付用紙を窓開封筒に収める工程と、
前記窓開封筒に収められた前記ＩＣカード送付用紙から、当該ＩＣカード送付用紙に印刷され、前記窓開封筒の窓から表出したコード情報を読み取る工程と、
前記ＩＣカード送付用紙が前記窓開封筒に収められた状態で、前記読み取られたコード情報に対応づけて記憶された発送先に対応する必要な情報を前記ＩＣカード送付用紙に保持された非接触型ＩＣカードにエンコードする工程とを有するものである。
【０００７】
【発明の実施形態】
以下、本発明をイベント等の来場者管理用のＩＣカード発行システムに適用した場合の好適な実施例を添付図面に基づいて詳細に説明する。ここにおいて、図１はＩＣカードを分離可能に保持したＩＣカード送付用紙が連続状態で構成された平面説明図、図２はそのＸ−Ｘ線断面図、図３は図１のＩＣカード送付用紙に必要なデータが印字された後に処理装置で処理される状態を示す説明図。
【０００８】
図１及び図２に示すように、ＩＣカード送付用紙１は、ＩＣカード１５が剥離可能に貼付されたカード支持台紙２と、発送先情報としての住所・氏名を印字するための印字欄３を備えており、上下に切り離し用ミシン目６で分離可能に連続している。すなわち両側にプリンタや事後処理装置の移送用トラクタに係合する移送用孔４を有するマージナル部５を有して連続帳票として設計されている。また、貼付されたＩＣカード１５には、ＩＣカードが発行される際、使用者の情報が印字される表示部１６が設けられている。
【０００９】
この様に構成されたＩＣカード送付用紙１にプリンタ等の印刷装置（図示せず）で発送先を識別するバーコードからなるコード情報７とこのコード情報７に対応する発送先の住所・氏名等の発送情報を印字する。このとき、ＩＣカード送付用紙に保持されたＩＣカード表面にも同時に氏名情報、ＩＤ番号からなる被カード発行者情報１７を印字する。この実施例では、アラビア数字からなるＩＤ番号とバーコードからなるコード情報７は、表示形態が異なるだけで同じコードにしてある。
【００１０】
図３に示すように処理装置３１は、連続状態のＩＣカード送付用紙１を切断し、窓開き封筒２１に封入封緘し、封入封緘されたＩＣカードに必要な情報をエンコードできるように構成されている。その処理装置３１は、連続状態のＩＣカード送付用紙１を移送する移送装置３２、ＩＣカード送付用紙１の両側のマージナル部５をスリットするスリッター３３、そして移送ローラ、高速ローラ、両ローラの間に位置するブレードからなる連続状態のＩＣカード送付用紙１を単位ごとに切断する切断装置３４、窓開き封筒２１を供給して単位ごとのＩＣカード送付用紙１を封入封緘する封入封緘部、及び封入封緘された封筒の窓からバーコードを読み取るバーコード読取装置３６とＩＣカードに情報を書き込むリーダ３７を有するＩＣカードリーダライタ装置３５から構成されている。このＩＣカードリーダライタ装置３５は、バーコード読取装置３６でコード情報を読み取った際、ＩＣカードに必要な情報を書き込めるように発送先に対応する必要な情報をあらかじめデータベースとして記憶しておく記憶部３９を備えている。
【００１１】
したがって、この処理装置３１により連続状態のＩＣカード送付用紙１は、順次、発送先単位毎のＩＣカード送付用紙１に切断され、単位毎のＩＣカード送付用紙１を窓開封筒に収め封入封緘され、さらに封入封緘工程後にＩＣカード送付用紙１に印刷され封筒２１の窓から表出されたコード情報７を読取り、発送先に対応する必要な情報を、ＩＣカード送付用紙１に保持されたＩＣカードに記録することができる。
【００１２】
尚、ＩＣカード１５の剥離可能な接着構造は図２示すように、ＩＣカード１５は、所定の圧を加えると接着可能となり接着後に剥離可能で、剥離後には通常では接着しない感圧性接着剤８を介して、カード支持台紙２に接着されている。この感圧性接着剤８としては、例えば天然ゴム１００重量部に対し、スチレン２重量部とメタクリル酸メチル１０重量部とをグラフト共重合させて得られた天然ゴムラテックスに、テルペン樹脂系粘着付与剤５重量部を添加して感圧性のべ一ス接着剤とし、このべ一ス接着剤１００重量部に対し、平均粒径５μｍのシリカゲル２０重量部を添加してなるものが好適である。
【００１３】
本発明のＩＣカード１５は、図２に示すように、非接触方式でデータの送受信を行うアンテナ部１９とＩＣ回路１８を基材シート内に内包し、さらに表裏に樹脂シートを積層した非接触式ＩＣカード１５で０．２５ミリ程度の厚みであって、表裏面の所望位置に耐熱インクによる印刷部を設けるとともに、前記耐熱インクのうち少なくとも黒インクは、カーボンレスインクを使用してなるものである。これにより、カード表面へのノンインパクト（静電写真印刷）によるトナー印字の際、黒印刷部の畜熱を防止でき、ＩＣ回路１８における熱圧からの影響を回避できる。
【００１４】
また上記耐熱インクは、ＵＶインクが、使用されており、ＵＶランプ等により乾燥されてなるもので、カード表面へのノンインパクトによるトナー印字の際、印刷部のインクが溶けることなく安定した印字が行えるとともに、印刷部の内面側のＩＣ回路１８を熱圧から保護できる。
【００１５】
また、可変情報をプリンタで印字する印字部１６が設けられており、少なくともこの印字部１６には、トナー印字適性を持たせるため各種樹脂や導電材による表面コートが施される。先ず、ノンインパクトによるトナー印字の際、転写性を向上させるために導電材を塗工し、カード表面の抵抗値を１．０×１０の１１乗オーム以下に設定することが望ましい。また、トナーの定着性を向上させるために各種の樹脂を塗工し、アンカーコート層が形成される。
【００１６】
なお、本発明は上述した実施例に限定されず、ＩＣカード１５の形態は、ＩＣ素子を埋設したＩＣカードであってもよく、また材質は、厚紙に限らず、合成樹脂、合成紙等であってもよい。さらに、ＩＣカード１５をＩＣカード発行用帳票１に剥離可能に支持する構成は、２枚の好ましくは透明な樹脂フィルムを、疑似接着層を介して剥離可能に接着し、各樹脂フィルムの前記疑似接着層と反対面側にそれぞれ粘着剤を設け、これら粘着剤によって、一方の樹脂フィルムをＩＣカード１５の裏面に、他方の樹脂フィルムをＩＣカード送付用紙１の表面にそれぞれ接着したり、あるいは、ポリエステルからなるフィルムの裏面側に粘着剤を設けてＩＣカード送付用紙１に接着する一方、表面側にはエチレン酢酸ビニル樹脂を主成分とする感熱性接着剤を溶融塗布し、この塗布面にＩＣカード１５の裏面側を重ねて８０℃程度の熱ロールによりラミネートしたものでもよい。
【００１７】
また、ＩＣカードは会員カードに限らず、身分証明証等でもよく、ＩＣカード送付用紙１としてはＩＣカードに応じた種々の構成を採用することができる。さらにまた、電子的読み取り用コードがバーコードに限らず、２次元バーコードあるいは、磁気コードを書込み、読込みを行う磁気ストライプ等であってもよい。この磁気コードを書込み、読込みを行う磁気ストライプ等で実施する場合には、ＩＣカード情報記録工程を封入封緘工程の前に行えばよい。
【００１８】
【発明の効果】
以上詳細に説明したところで明らかなように、本発明によれば、ＩＣカードの発行に際して、ＩＣカードの発送先の住所・氏名を印字した発行送付用紙へのＩＣカード取り付けミスを完全に防止し、しかも発行工程を縮小し効率よくＩＣカードを発行することができる等、確実で正確なＩＣカード発行業務を行うことができるという効果を奏する。
【図面の簡単な説明】
【図１】ＩＣカードを分離可能に保持したＩＣカード送付用紙の平面説明図。
【図２】図１のＸ−Ｘ線断面図。
【図３】図１のＩＣカード送付用紙に必要なデータが印字された後に処理装置で処理さ
れる状態を示す説明図。
【符号の説明】
１    ＩＣカード送付用紙
２    カード支持台紙
３    記入欄
７    コード情報
１５    ＩＣカード
１７    被カード発行者情報
【図１】
0003716087.tif 000002
【図２】
0003716087.tif 000003
【図３】
0003716087.tif 000004